(57)【要約】【課題】医薬品に対する医療従事者の理解度に合った的確な医薬情報を提供する。【解決手段】ＭＲ支援装置１は、医薬品に対する理解度のフェーズをＭＲがディテールを行う医師毎に記憶すると共に、このフェーズ毎にディテール時に用いる医療情報を記憶する記憶部１７と、記憶部１７に記憶された医療情報のうち、ＭＲがディテールを行う医療従事者の現在の理解度のフェーズに応じた医療情報を特定する特定部１１と、特定した医療情報をＭＲ端末２に表示させるための制御情報を前記ＭＲ端末に配信する配信部１２と、を備える。ＭＲ支援装置１は、ＭＲに配信した医療情報のフェーズの更新に対する寄与度を算出する寄与度算出部１５を更に備え、配信部１２は、特定部１１が特定した医療情報を、寄与度に基づく順にＭＲ端末に表示させるための制御情報をＭＲ端末２に配信してもよい。【選択図】図４
2015138300.tif 000002
【特許請求の範囲】
【請求項１】
医薬品に対する医療従事者の現在の理解度の段階を示すフェーズを医療従事者毎に記憶する共に、前記フェーズ毎にディテール時に用いる医療情報を記憶する記憶部と、
前記記憶部に記憶された前記医療情報のうち、ＭＲがディテールを行う医療従事者の現在の理解度のフェーズに応じた医療情報を特定する特定部と、
前記特定部が特定した前記医療情報をＭＲが用いるＭＲ端末に表示させるための制御情報を前記ＭＲ端末に配信する配信部と、
を備えるＭＲ支援装置。
【請求項２】
前記記憶部は、前記理解度のフェーズ毎に前記医薬品についての質問を示す質問情報を記憶し、
前記配信部は、前記医療情報と共に前記質問情報をＭＲに配信し、
ＭＲから前記質問情報に対する前記医療従事者の回答情報を受け付ける回答受付部と、
受け付けた前記回答情報に基づいて、前記記憶部に記憶された当該医療従事者の理解度のフェーズを更新する理解度更新部と、
を更に備える請求項１に記載のＭＲ支援装置。
【請求項３】
前記ＭＲ端末に表示させた前記医療情報の前記フェーズの更新に対する寄与度を算出する寄与度算出部、
を更に備える請求項１又は２に記載のＭＲ支援装置。
【請求項４】
前記特定部は、医療従事者の現在の理解度のフェーズに応じた医療情報のうち、前記寄与度の高い前記医療情報を特定し、
前記配信部は、前記特定部が特定した前記医療情報を、前記寄与度に基づく順に前記ＭＲ端末に表示させるための前記制御情報を前記ＭＲ端末に配信する、
請求項３に記載のＭＲ支援装置。
【請求項５】
前記記憶部は、前記医療従事者毎に当該医療従事者の属性情報を記憶し、
前記寄与度算出部は、前記属性情報が規定する前記医療従事者の属性毎に前記寄与度を算出し、
前記特定部は、医療従事者の現在の理解度に応じた医療情報のうち、当該医療従事者の属性に対して前記寄与度の高い前記医療情報を特定する、
請求項３又は４に記載のＭＲ支援装置。
【請求項６】
前記寄与度算出部は、複数の医療従事者のうち一部の医療従事者についての前記フェーズの更新結果に基づいて、前記寄与度を算出する、
請求項３から５のいずれかに記載のＭＲ支援装置。
【請求項７】
前記寄与度算出部は、前記フェーズの更新結果に基づいて、第１医療情報と当該第１医療情報とは異なる第２医療情報とを所定順序で配信することによる前記フェーズの更新に対する組合せ寄与度を算出し、
前記特定部は、前記第１医療情報を配信した後に新たな医療情報を配信する場合、前記組合せ寄与度の高い第２医療情報を特定する、
請求項３から５のいずれかに記載のＭＲ支援装置。
【請求項８】
医薬品に対する医療従事者の現在の理解度の段階を示すフェーズを医療従事者毎に記憶する共に、前記フェーズ毎にディテール時に用いる医療情報を記憶する記憶部を備えるコンピュータが実行する、
前記記憶部に記憶された前記医療情報のうち、ＭＲがディテールを行う医療従事者の現在の理解度のフェーズに応じた医療情報を特定するステップと、
特定した前記医療情報をＭＲが用いるＭＲ端末に表示させるための制御情報を前記ＭＲ端末に配信するステップと、
を含むＭＲ支援方法。
【請求項９】
ＭＲが用いるＭＲ端末とＭＲのディテール活動を支援するＭＲ支援装置とが通信可能に接続されたＭＲ支援システムであって、
前記ＭＲ支援装置は、
医薬品に対する医療従事者の現在の理解度の段階を示すフェーズを医療従事者毎に記憶する共に、前記フェーズ毎にディテール時に用いる医療情報を記憶する記憶部と、
前記記憶部に記憶された前記医療情報のうち、ＭＲがディテールを行う医療従事者の現在の理解度のフェーズに応じた医療情報を特定する特定部と、
前記特定部が特定した前記医療情報をＭＲが用いるＭＲ端末に表示させるための制御情報を前記ＭＲ端末に配信する配信部と、
を備えるＭＲ支援システム。
【発明の詳細な説明】
【技術分野】
【０００１】
本発明は、医薬品に関する情報を医療従事者に提供するＭＲのディテール活動を支援するＭＲ支援装置、ＭＲ支援方法及びＭＲ支援システムに関する。
【背景技術】
【０００２】
医師や薬剤師といった医療従事者への医薬品に関する情報の提供は、医薬品についての専門的な知識を有するＭＲ（医薬情報担当者）により行われている。ＭＲは、病院や診療所等の医療施設を訪問して医療従事者と面会し、口頭で説明することで、医薬品に関する情報を医療従事者に対して提供する。なお、ＭＲが医薬品に関する情報を医療従事者に提供する行為を、以下ではディテール活動と呼ぶ。
【０００３】
従来、このようなディテール活動は、医薬品を紹介するパンフレット等の書類を用いて行われていたが、情報処理技術の発展に伴い、近年では、Ｅディテールといった取り組みも注目されている。当初のＥディテールは、インターネットを介して医薬品に関する情報を医療従事者に提供するものであり、医療従事者からのアクセスを待ってディテール活動を行うものであった。
【０００４】
そこで、近年では、ＭＲ側からの働きかけに応じて医療従事者に対するディテール活動を行う新たな形式のＥディテールも知られている。例えば、特許文献１には、タッチパネル形式のタブレット端末に電子化した医薬等情報を記憶しておき、ＭＲによる直観的な操作で医薬等情報を医師に提供する医薬等情報提供システムが記載されている。
【先行技術文献】
【特許文献】
【０００５】
【特許文献１】特開２０１２−２３８２８６号公報
【発明の概要】
【発明が解決しようとする課題】
【０００６】
ところで、医薬品の理解度は医療従事者毎に異なっており、医療従事者の理解度と合わない情報を提供してディテール活動を行ったのでは、医薬品の処方に結びつかず成果が上がらない。そのため、ＭＲは、医療従事者の理解度を把握しておき、この理解度に応じた医療情報を用いて医療従事者に対してディテール活動を行う必要がある。
【０００７】
この点、従来の医薬等情報提供システムでは、医療従事者の考え方に合わせたストーリーを提供することとしているが、医療従事者の考え方に合うか否かは、ＭＲに選択させることとしており、医療従事者の理解度の把握がＭＲの主観によって行われてしまっている。そのため、従来の医薬等情報提供システムでは、ＭＲによってディテール活動の成果が大きく異なってしまうという問題があった。
【０００８】
本発明は、このような問題に鑑みてなされたものであり、医薬品に対する医療従事者の理解度に合った的確な医薬情報を提供可能なＭＲ支援装置、ＭＲ支援方法及びＭＲ支援システムを提供することを目的とする。
【課題を解決するための手段】
【０００９】
本発明に係るＭＲ支援装置は、医薬品に対する医療従事者の現在の理解度の段階を示すフェーズを医療従事者毎に記憶する共に、前記フェーズ毎にディテール時に用いる医療情報を記憶する記憶部と、前記記憶部に記憶された前記医療情報のうち、ＭＲがディテールを行う医療従事者の現在の理解度のフェーズに応じた医療情報を特定する特定部と、前記特定部が特定した前記医療情報をＭＲが用いるＭＲ端末に表示させるための制御情報を前記ＭＲ端末に配信する配信部と、を備える。
【００１０】
上記のＭＲ支援装置では、前記記憶部は、前記理解度のフェーズ毎に前記医薬品についての質問を示す質問情報を記憶し、前記配信部は、前記医療情報と共に前記質問情報をＭＲに配信し、ＭＲから前記質問情報に対する前記医療従事者の回答情報を受け付ける回答受付部と、受け付けた前記回答情報に基づいて、前記記憶部に記憶された当該医療従事者の理解度のフェーズを更新する理解度更新部と、を更に備えることとしてもよい。
【００１１】
上記のＭＲ支援装置では、前記ＭＲ端末に表示させた前記医療情報の前記フェーズの更新に対する寄与度を算出する寄与度算出部を更に備えることとしてもよい。
【００１２】
上記のＭＲ支援装置では、前記特定部は、医療従事者の現在の理解度のフェーズに応じた医療情報のうち、前記寄与度の高い前記医療情報を特定し、前記配信部は、前記特定部が特定した前記医療情報を、前記寄与度に基づく順に前記ＭＲ端末に表示させるための前記制御情報を前記ＭＲ端末に配信することとしてもよい。
【００１３】
上記のＭＲ支援装置では、前記記憶部は、前記医療従事者毎に当該医療従事者の属性情報を記憶し、前記寄与度算出部は、前記属性情報が規定する前記医療従事者の属性毎に前記寄与度を算出し、前記特定部は、医療従事者の現在の理解度に応じた医療情報のうち、当該医療従事者の属性に対して前記寄与度の高い前記医療情報を特定することとしてもよい。
【００１４】
上記のＭＲ支援装置では、前記寄与度算出部は、複数の医療従事者のうち一部の医療従事者についての前記フェーズの更新結果に基づいて、前記寄与度を算出することとしてもよい。
【００１５】
上記のＭＲ支援装置では、前記寄与度算出部は、前記フェーズの更新結果に基づいて、第１医療情報と当該第１医療情報とは異なる第２医療情報とを所定順序で配信することによる前記フェーズの更新に対する組合せ寄与度を算出し、前記特定部は、前記第１医療情報を配信した後に新たな医療情報を配信する場合、前記組合せ寄与度の高い第２医療情報特定することとしてもよい。
【００１６】
また、本発明に係るＭＲ支援方法は、医薬品に対する医療従事者の現在の理解度の段階を示すフェーズを医療従事者毎に記憶する共に、前記フェーズ毎にディテール時に用いる医療情報を記憶する記憶部を備えるコンピュータが実行する、前記記憶部に記憶された前記医療情報のうち、ＭＲがディテールを行う医療従事者の現在の理解度のフェーズに応じた医療情報を特定するステップと、特定した前記医療情報をＭＲが用いるＭＲ端末に表示させるための制御情報を前記ＭＲ端末に配信するステップと、を含む。
【００１７】
また、本発明に係るＭＲ支援方法は、ＭＲが用いるＭＲ端末とＭＲのディテール活動を支援するＭＲ支援装置とが通信可能に接続されたＭＲ支援システムであって、前記ＭＲ支援装置は、医薬品に対する医療従事者の現在の理解度の段階を示すフェーズを医療従事者毎に記憶する共に、前記フェーズ毎にディテール時に用いる医療情報を記憶する記憶部と、前記記憶部に記憶された前記医療情報のうち、ＭＲがディテールを行う医療従事者の現在の理解度のフェーズに応じた医療情報を特定する特定部と、前記特定部が特定した前記医療情報をＭＲが用いるＭＲ端末に表示させるための制御情報を前記ＭＲ端末に配信する配信部と、を備える。
【発明の効果】
【００１８】
本発明によれば、医薬品に対する医療従事者の理解度に合った的確な医薬情報を提供することができる。
【図面の簡単な説明】
【００１９】
【図１】本発明のＭＲ支援装置の動作フローを示す図である。
【図２】医薬品の理解度とコンテンツとの関係性を示す図である。
【図３】第１実施形態のＭＲ支援システムの構成を示す図である。
【図４】ＭＲ支援装置の構成を示す図である。
【図５】記憶部に記憶される医師情報ＤＢの一例を示す図である。
【図６】記憶部に記憶される医療情報ＤＢの一例を示す図である。
【図７】理解度更新に対する医療情報の寄与度の算出方法の一例を示す図である。
【図８Ａ】医師の属性に応じた寄与度の算出方法の一例を示す図である。
【図８Ｂ】医師の属性に応じた寄与度の算出方法の一例を示す図である。
【図８Ｃ】医師の属性に応じた寄与度の算出方法の一例を示す図である。
【図９】医療情報の寄与度の出力例を示す図である。
【図１０】ＭＲ支援装置の処理の流れを示すフローチャートである。
【図１１】ＭＲ支援装置の処理の流れを示すフローチャートである。
【図１２】第２実施形態のＭＲ支援装置の動作の概要を示す図である。
【図１３】医薬品の理解度とコンテンツとの別の関係性を示す図である。
【発明を実施するための形態】
【００２０】
［ＭＲ支援装置の概要］
医療従事者が医薬品の処方を行うまでに、医療従事者は、医薬品に関する様々な情報を理解する必要がある。
本発明のＭＲ支援装置では、医薬品に対する医療従事者の現在の理解度に応じた医療情報を、ディテール活動を行うＭＲに対して提供する。このとき、ＭＲ支援装置では、医療従事者の理解度を深める可能性の高い医療情報を予測し、予測した医療情報をＭＲに対して提供することで、ＭＲのディテール活動を支援する。
【００２１】
具体的には、ＭＲ支援装置では、医療従事者の医薬品に対する理解度をフェーズとして管理する。このフェーズは、医療従事者が医薬品を処方するまでの医薬品についての理解度の段階を示し、ＭＲ支援装置の管理者により医薬品毎に設定される。ＭＲ支援装置では、フェーズ毎にディテール活動に用いる医療情報を記憶しておき、多数のＭＲのディテール活動の活動ログから、フェーズを更新しやすい（理解度を深めやすい）医療情報を算出することで、フェーズ毎に有効な医療情報を予測する。そして、ＭＲ支援装置では、予測した医療情報をＭＲに対して提供すると共に、ＭＲのディテール活動の活動ログから予測の正確性の検証を行う。
このように本発明は、製品が顧客に受け入れられるまでに複数の段階を経る医薬品において、段階毎に有効な医療情報に関する仮説の検証を適切に行うための新たな仕組みを提供する。
【００２２】
図１に示すＭＲ支援装置の動作フローを用いて、ＭＲ支援装置の概要について説明する。
ＭＲ支援装置は、ＭＲが医療従事者に対してディテール活動を行う際に、医療従事者の医薬品に対する理解度に応じた医療情報を提供する。そこで、ＭＲ支援装置は、図１（Ａ）に示すように、医療情報の提供前にディテール活動の対象である医療従事者（医師）の状況を確認する。この状況確認で対象の医療従事者の医薬品に対する理解度の段階を示すフェーズを把握すると、ＭＲ支援装置は、図１（Ｂ）に示すように、この理解度のフェーズに応じた医療情報をＭＲに対して提供する。
【００２３】
ここで、図２を参照して、医薬品の理解度と配信する医療情報との関係について説明する。医薬品は、顕著な効果を有する反面、副作用を有するため、医療従事者は、医薬品の品質、有効性、安全性等の医薬品に関する様々な情報を適切に理解する必要がある。本実施形態では、医療従事者の理解度の段階をフェーズとして管理する。なお、フェーズは、医薬品毎に段階数及び内容が設定される。図２の例では、フェーズ１「医薬品の良さを理解している」からフェーズ４「治療パターンに入れている」まで４段階のフェーズが設定されているが、フェーズの段階数及び夫々のフェーズの内容は、医薬品によって異なる。
【００２４】
ＭＲ支援装置では、夫々のフェーズに対して、次のフェーズへ移行しない原因（ボトルネック）を特定し、この原因を解消するための医療情報を夫々のフェーズに対して設定する。図２の例では、フェーズ１からフェーズ２に移行しない原因を「安全性に不安を感じている」と特定しており、この原因を解消するための医療情報として「長期による安全性の確立」「発がんリスクが他と同様」「他医薬品との比較」といった医療情報が設定されている。
【００２５】
ＭＲ支援装置では、ＭＲがディテール活動を行う医療従事者の理解度のフェーズに応じた医療情報をＭＲに対して提供すると共に、この医療情報を用いた多数のＭＲにおけるディテール活動の成果（活動ログ）からフェーズを更新する可能性の高い医療情報を特定する。そして、ＭＲ支援装置では、特定した医療情報をＭＲに対して提供することで、ＭＲのディテール活動を支援する。
即ち、ＭＲ支援装置では、フェーズ１からフェーズ２に移行しない「安全性に不安を感じている」という原因を解消する可能性の高い医療情報を、多数のＭＲの活動ログから特定し、フェーズ１に対して設定された「長期による安全性の確立」「発がんリスクが他と同様」「他医薬品との比較」といった医療情報のうちボトルネックとして設定した原因を解消しやすい有効な医療情報をＭＲに対して提供する。
【００２６】
具体的には、医療情報の提供を受けると、図１（Ｃ）に示すように、ＭＲは、この医療情報を用いて医療従事者に対してディテール活動を行う。ここで、ＭＲに提供した医療情報は、医療従事者の現在の理解度のフェーズに応じた内容であるため、ＭＲのディテール活動により医療従事者が医薬品についての理解度を深める場合がある。そこで、ＭＲは、図１（Ｄ）に示すように、医療従事者に対してディテール活動の内容について所定の質問を行い、この質問の回答をＭＲ支援装置に提供する。
【００２７】
ＭＲ支援装置では、図１（Ｅ）に示すように、この質問に対する回答に基づいて、医薬品に対する医療従事者の理解度のフェーズを次のフェーズに更新する。医療従事者の理解度のフェーズを次のフェーズに更新するか否かをシステム的に算出するため、ＭＲ支援装置では、医療従事者の理解度を、ＭＲの主観によらずに客観的に把握することができる。
【００２８】
また、ＭＲ支援装置では、医療従事者の理解度に応じた医療情報をＭＲに提供するところ、医療情報の中には理解度の更新に有効な医療情報と、そうでない医療情報とが含まれる。そこで、図１（Ｅ）に示すように、ＭＲ支援装置では、個々のＭＲの活動ログではなくＭＲ支援装置を利用する全てのＭＲのディテール活動の活動ログに基づいて、理解度の更新に有効な医療情報を予測し、ＭＲに対して提供する。また、ＭＲ支援装置では、ＭＲ支援装置を利用する全てのＭＲのディテール活動の活動ログに基づいて、仮説の検証を行う。
これにより、ＭＲには、医療従事者の理解が深まりやすい医療情報が優先して提供されることになるため、ＭＲのディテール活動の成果を高めることができる。
【００２９】
以下、本発明の実施形態について図面を参照して説明する。なお、以下の実施形態では、ＭＲがディテール活動を行う医療従事者が医師であるものとする。また、以下の実施形態は、本発明を実施するための一例にすぎず、多様な変更又は改良を加えることが可能である。
【００３０】
＜第１実施形態＞
図３は、本発明のＭＲ支援システム１００の構成を示す図である。ＭＲ支援システム１００は、ＭＲ支援装置１と、ＭＲ端末２と、製薬企業用端末３と、を含んで構成される。ＭＲ支援装置１、ＭＲ端末２及び製薬企業用端末３は、制御部及び記憶部を備えるコンピュータであり、所定の通信ネットワークを介して通信可能に接続される。
【００３１】
ＭＲ端末２は、ＭＲが用いるタッチパネル形式のタブレット端末である。ＭＲ端末２には、ＭＲ支援装置１から医薬品に対する医師の理解度に応じた医療情報が、所定のタイミングで配信される。また、ＭＲ支援装置１からＭＲ端末２に対して、ＭＲ端末２に表示させる医療情報を選択させるために用いられる制御情報も配信される。制御情報は、医薬品に対する医師の理解度を高めるための医療情報の有効性を示す寄与度に基づいて生成される情報である。ＭＲ端末２において、制御情報に基づいて医療情報が利用されると、その利用履歴がＭＲ端末２からＭＲ支援装置１に送信される。
【００３２】
また、ＭＲ支援装置１は、医療情報を用いてディテール活動を行った後に医師に対して行う医薬品についての質問をＭＲ端末２に送信し、ＭＲが医師から質問に対する回答を受けると、ＭＲ端末２からＭＲ支援装置１に、質問情報に対する回答情報が送信される。ＭＲ支援装置１では、利用履歴及び回答情報等を解析し、医薬品に対する医師の理解度を更新すると共に、理解度の更新に寄与する医療情報を特定する。
【００３３】
また、ＭＲ端末２には製薬企業用端末３から医師の情報が送信される。この医師の情報には、例えば、医師の診療科や医師の医薬品についての理解度等が含まれ、ディテール活動を行うＭＲが医師の傾向を把握するため等に用いられる。
【００３４】
製薬企業用端末３は、医師に紹介する医薬品を製造する製薬企業により用いられるコンピュータである。製薬企業用端末３からＭＲ支援装置１には、医薬品の情報や、医薬品を紹介するターゲットとなる医師の情報（例えば、医師の属性や医師の所属する施設の売り上げ等）が送信される。製薬企業用端末３から提供された医師の情報は、医師の現在の理解度の把握に用いられ、施設の売上データは分析に用いられる。
また、ＭＲ支援装置１から製薬企業用端末３には、医療情報の利用履歴から得られたＭＲの活動報告が送信される。製薬企業用端末３では、この活動報告を製薬企業に導入されているＳＦＡ（活動支援システム）に同期させ、ＭＲのディテール活動を管理することとしてもよい。
【００３５】
［ＭＲ支援装置１の構成］
続いて、図４を参照して、ＭＲ支援装置１の構成について説明する。ＭＲ支援装置１は、特定部１１と、配信部１２と、回答受付部１３と、理解度更新部１４と、寄与度算出部１５と、出力制御部１６と、記憶部１７と、を含んで構成される。なお、特定部１１乃至出力制御部１６は、ＭＲ支援装置１の制御部が所定のプログラムに従うことで実現される機能である。
【００３６】
記憶部１７は、製薬企業が医薬品を紹介する対象である医師の情報を記憶する医師情報ＤＢと、ＭＲ端末２に配信する医療情報を記憶する医療情報ＤＢと、を含む。なお、各種情報は、ＭＲ支援装置１が利用可能であれば足り、必ずしも記憶部１７に記憶される必要はない。
【００３７】
医師情報ＤＢは、図５に示すように、対象となる医師毎に、属性情報と、医薬品毎のフェーズと、担当ＭＲと、を含む各種情報を記憶する。
属性情報とは、診療科、勤務形態、年齢、ターゲットランク等であり、医師の属性を特定するための情報である。また、フェーズとは、ディテール活動を行う医薬品に対する医師の理解度を特定するための情報である。また、担当ＭＲとは、医師に対してディテール活動を行う担当のＭＲを特定するための情報である。
【００３８】
医療情報ＤＢは、図６に示すように、医師の理解度を示すフェーズ毎に、ディテール活動時に用いる医療情報及び質問情報を記憶する。
医療情報は、ディテール活動において紹介する医薬品に関する情報、例えば、紹介する医薬品の有効性を示すデータ等を含む。質問情報は、医療情報を用いてディテール活動を行った後に医師に対して行う医薬品についての質問である。なお、質問の回答に応じて医師の理解度を把握することとしているため、質問情報は多肢選択形式の質問とし、医師の理解度を客観的に把握可能にする。
なお、フェーズ毎に記憶する医療情報及び質問情報の数は任意であり、フェーズ毎に異なることとしてもよく、また、同一であってもよい。また、図示は省略しているが、医療情報ＤＢには、医師の理解度の更新に寄与する度合いを示す寄与度を、夫々の医療情報に対して記憶することとしてもよい。
【００３９】
図４に戻り、特定部１１は、記憶部１７に記憶された医療情報のうち、医師の現在のフェーズに応じた医療情報及び質問情報を特定する。具体的には、特定部１１は、記憶部１７に記憶された医療情報のうち、フェーズ毎に設けられた複数の医療情報のうち寄与度の高い順に所定数の医療情報を特定する。
【００４０】
配信部１２は、特定部１１が特定した医療情報及び質問情報をＭＲ端末２に表示させるための制御情報をＭＲ端末２に配信する。なお、配信部１２により配信される制御情報には様々な態様が考えられるが、任意の態様を採用することとしてよい。一例として、ＭＲ支援システム１００は、医療情報を予め全てＭＲ端末２に記憶しておくこととし、配信部１２が、ＭＲ端末２に記憶された医療情報のうちの特定部１１が特定した医療情報を特定する識別情報を含む制御情報を配信することで、フェーズ毎に有効な医療情報をＭＲ端末２に表示させることとしてもよい。また、ＭＲ支援システム１００は、全ての医療情報を予めＭＲ端末２に記憶することなく、配信部１２は、特定部１１が特定した医療情報を含む制御情報を配信することで、ＭＲ端末２にフェーズ毎に有効な医療情報を表示させることとしてもよい。
【００４１】
また、配信部１２は、特定部１１が特定した医療情報を、寄与度に基づく順にＭＲ端末２に表示させるための制御情報をＭＲ端末２に配信してもよい。配信部１２は、例えば、ＭＲ端末２に記憶された複数の医療情報の寄与度が高い順を示す情報を含む制御情報を配信する。配信部１２は、複数の医療情報と、夫々の医療情報の寄与度を示す情報とを含む制御情報を配信してもよい。このようにすることで、ＭＲ支援システム１００は、例えば、寄与度が高い順に、ＭＲ端末２に医療情報を表示させることが可能になる。
【００４２】
回答受付部１３は、配信した質問情報に対する医師の回答を示す回答情報をＭＲ端末２から受け付ける。なお、質問情報が選択形式の質問であるため、回答情報は、複数の選択肢のうちの選択された選択肢である。
【００４３】
理解度更新部１４は、受け付けた回答情報に基づいて医薬品に対する医師の理解度（フェーズ）を更新、即ち、記憶部１７に記憶された医師の医薬品に対する理解度のフェーズを更新する。理解度更新部１４による理解度の更新方法は任意であり、例えば、医師が選択した選択肢に基づく所定の演算により行うことができる。なお、理解度の更新は、フェーズを上げる方向の更新の他、フェーズを下げる方向の更新も含めることとしてもよい。
【００４４】
寄与度算出部１５は、ＭＲ支援装置１を用いてディテール活動を行った全ての医師の理解度の更新結果に基づいて、ＭＲ端末２に表示させた医療情報の理解度の更新に対する寄与度を算出する。寄与度算出部１５による寄与度の算出方法は任意であり、例えば、医療情報を配信した回数又は医療情報がディテール活動に利用された回数に対する、理解度の更新が行われた回数の割合に基づく所定の演算により算出することができる。
【００４５】
ここで、図７を参照して、寄与度の算出方法の一例について説明する。フェーズ２の医師に対するディテール活動において医療情報Ａが利用された場合、４人の医師のうち３人の医師の理解度が上昇し１人の医師の理解度が変化せず、医療情報Ｂが利用された場合、４人の医師の全ての理解度が変化していない。このような場合、医療情報Ａは、理解度を上昇させるために有効である一方、医療情報Ｂは、理解度の上昇に有効でないことが分かる。
【００４６】
そこで、寄与度算出部１５は、医療情報Ａに対して高い寄与度を算出し、医療情報Ｂに対して低い寄与度を算出する。
なお、寄与度算出部１５は、全ての医師の理解度の更新結果に基づいて医療情報の寄与度を算出することとしてもよく、また、一部の医師の理解度の更新結果に基づいて医療情報の寄与度を算出することとしてもよい。一部の医師については任意に選択することができるが、例えば、ディテール活動が実際の処方に結びつきやすい１又は複数の優秀なＭＲが担当する医師を、一部の医師として選択することとしてもよい。このような優秀なＭＲの情報を反映することで、医療情報の寄与度の算出を精度よく行うことができる。
【００４７】
図７に示すように、ＭＲ支援装置１は、寄与度算出部１５が算出した寄与度に基づく順に医療情報を表示させるための制御情報をＭＲ端末２に配信することで、フェーズ２の医師に対するディテール活動を行うＭＲが用いるＭＲ端末２において、医療情報Ａを医療情報Ｂよりも優先して表示させることが可能になる。
なお、優先して表示させるとは、ＭＲ端末２における表示順序が、寄与度の高い医療情報から順になることであってもよく、また、医療情報に対応付けて、寄与度についての情報（例えば、医師の理解度を更新しやすい／更新しにくい医療情報であることを把握可能にする情報（例えば、得点））を表示することであってもよい。
【００４８】
ところで、医薬品等に関する知識は医師毎に異なるため、例えば専門性の高い医師と専門性の低い医師とでは、理解度を更新しやすい医療情報が異なる場合がある。そこで、寄与度算出部１５は、医療情報の寄与度を、医師の属性に応じて算出することとしてもよい。
【００４９】
ここで、図８を参照して、医師の属性に応じた寄与度の算出方法の一例について説明する。図８Ａに示すように、ディテール活動において医療情報Ａが利用された場合、内科の勤務医であるＡ先生及び内科の開業医であるＢ先生の理解度は上昇し、内科の開業医であるＣ先生及び小児科の開業医であるＤ先生の理解度は変化していない。このような場合、医療情報Ａは、内科の医師（上昇：Ａ先生、Ｂ先生、変化なし：Ｃ先生）の理解度を更新しやすいことが分かる一方で、小児科の医師（変化なし：Ｄ先生）の理解度を更新しにくいことが分かる。同様に、医療情報Ａは、勤務医の医師（上昇：Ａ先生）の理解度を更新しやすい一方で、開業医の医師（上昇：Ｂ先生、変化なし：Ｃ先生、Ｄ先生）の理解度を更新しにくいことが分かる。
【００５０】
寄与度算出部１５は、ＭＲ支援装置１を用いてディテール活動を行った多数の医師の理解度の更新結果に基づいて、医師の属性毎に理解度更新に対する医療情報の寄与度を算出する。即ち、寄与度算出部１５は、属性「内科」については医療情報Ａの寄与度を高く算出する一方で、属性「小児科」については医療情報Ａの寄与度を低く算出する。なお、図８Ｂに、医師の属性毎に算出した医療情報Ａ，Ｂの寄与度の一例を示す。
【００５１】
そして、この寄与度算出部１５の寄与度の算出を受け、特定部１１は、理解度のフェーズ及び医師の属性に対して有効な（寄与度の高い）医療情報を特定し、配信部１２は、この医療情報をＭＲ端末２に優先的に表示させるための制御情報を、ＭＲ端末２に配信する。
一例として、図８Ｃを参照して、内科の開業医であるＥ先生及び小児科の勤務医であるＦ先生にディテール活動を行う場合に、配信部１２がＭＲ端末２に対して配信する制御情報について説明する。
【００５２】
図８Ｃに示すように、内科の開業医であるＥ先生に対する医療情報Ａの寄与度は「１３０ｐｔ」であるのに対して医療情報Ｂの寄与度は「９０ｐｔ」であり、Ｅ先生の属性にとっては、医療情報Ａの寄与度の方が医療情報Ｂの寄与度よりも高い。同様に、小児科の勤務医であるＦ先生に対する医療情報Ａの寄与度は「９０ｐｔ」であるのに対して医療情報Ｂの寄与度は「１３０ｐｔ」であり、Ｆ先生の属性にとっては、医療情報Ｂの寄与度の方が医療情報Ａの寄与度よりも高い。そこで、配信部１２は、Ｅ先生に対してディテール活動を行うＭＲのＭＲ端末２には、医療情報Ａが医療情報Ｂよりも優先して表示されるようにするための制御情報を配信し、Ｆ先生に対してディテール活動を行うＭＲのＭＲ端末２には、医療情報Ｂが医療情報Ａよりも優先して表示されるようにするための制御情報を配信する。
【００５３】
なお、図８Ｃでは、医師の属性に対して算出された寄与度を単純加算することで、この医師に対する医療情報の寄与度を算出することとしているが、これに限られるものではない。即ち、属性毎の寄与度を単純加算するのではなく、属性の種類に応じて重みづけした上で加算することで、医師に対する医療情報の寄与度を算出することとしてもよい。なお、重みづける属性の種類は、医薬品毎、又は／及び、医薬品に設定されたフェーズ毎に異なることとしてもよい。一例として、医薬品Ａのフェーズ１の医療情報については属性「診療科」に対して算出された寄与度を重視する一方で、医薬品Ｂのフェーズ２の医療情報については属性「勤務形態」に対して算出された寄与度を重視する等としてもよい。
【００５４】
また、図８では、属性毎に算出した寄与度を、ディテール活動を行う医師の属性に応じて加算することで、この医師にとって有効な医療情報を特定することとしているが、これに限られるものではなく、属性の組み合わせとして採り得る全ての組み合わせに対して、予め寄与度を算出しておくことで、医師にとって有効な医療情報を特定することとしてもよい。即ち、属性「内科」「内科、勤務医」「内科、開業医」「内科、ターゲットランクＡ」「内科、勤務医、ターゲットランクＡ」等の採り得る全ての組み合わせに対して、寄与度を算出しておくこととしてもよい。
【００５５】
図４に戻り、出力制御部１６は、寄与度算出部１５がＭＲ支援装置１を用いて行ったディテール活動の活動ログから算出した医療情報毎の寄与度を、所定の態様で出力（表示）する。ここで、算出した医療情報毎の寄与度の出力例を図９に示す。ＭＲ支援装置１の管理者は、このような出力例を参照することで、各フェーズにおいて医師の理解度を更新するのに有効な医療情報についての仮説を検証することができる。そして、ＭＲ支援装置１の管理者は、この仮説に基づいて選択された医療情報をＭＲ端末２に表示させ、医師の理解度に対する有効性を検証することを繰り返すことで、医師の理解度により適した医療情報をＭＲに対して提供できる精度を高めることが可能になる。また、新たな医療情報を作成する際にも、この検証結果に基づいて医師の理解度を更新しやすい医療情報を作成することができ、仮説、検証を繰り返すことで、ＭＲ支援装置１から配信する医療情報の質を高めることができる。
【００５６】
［ＭＲ支援装置１の処理］
以上、ＭＲ支援装置１の機能構成について説明した。続いて、図１０及び図１１を参照して、ＭＲ支援装置１の処理について説明する。
【００５７】
図１０に示すように、初めにＭＲ支援装置１の制御部は、フェーズ毎に有効な医療情報をＭＲ端末２に表示させるための制御情報を配信するタイミングであるか否かを判定する（ステップＳ１）。本実施形態では、全ての医療情報を予めＭＲ端末２に記憶しておくこととし、所定のタイミングになると、ＭＲ端末２に記憶された複数の医療情報のうちの有効な医療情報を指定する制御情報を送信することとしている。そこで、例えば、毎週月曜の朝１０時等の所定のタイミングになると、ＭＲ支援装置１の制御部は、フェーズ毎に有効な医療情報をＭＲ端末２に対して制御情報を配信するタイミングであると判定する。制御情報を配信するタイミングである場合、続いて、ＭＲ支援装置１の制御部は、制御情報配信処理を行う（ステップＳ２）。
【００５８】
ここで、図１１を参照して、制御情報配信処理について説明する。初めに、特定部１１は、記憶部１７の医療情報ＤＢを参照して、医薬品のフェーズ（及び医師の属性）毎に寄与度の高い医療情報を特定する（ステップＳ２１）。続いて、配信部１２は、ステップＳ２１で特定した医療情報をＭＲ端末２に表示させるための制御情報として、ＭＲ端末２に表示させる医療情報を特定する識別情報をＭＲ端末２に対して配信する。これにより、ＭＲ端末２は、各フェーズ（及び医師の属性）における寄与度の高い医療情報を表示させることが可能になる。
【００５９】
図１０に戻り、ＭＲ支援装置１から医療情報の識別情報が配信されると、ＭＲ端末２では、この識別情報を受信する（ステップＳ１１）。ＭＲ端末２では、この識別情報に基づいて、記憶している全ての医療情報のうちのフェーズ毎に寄与度の高い医療情報が優先して表示されることになる。その後、ＭＲが医師に対してディテール活動を行うと、ＭＲ端末２では、質問情報に応じた質問の回答を示す回答情報の入力を受け付け（ステップＳ１２）、ＭＲ支援装置１に送信する。このとき、ＭＲ端末２からＭＲ支援装置１には、ディテール活動に用いた医療情報を特定する識別情報も併せて送信される。
【００６０】
ＭＲ支援装置１では、回答受付部１３が回答情報を受信すると（ステップＳ３）、理解度更新部１４は、この回答に応じてＭＲ端末２のＭＲがディテール活動を行った医師の理解度を更新する（ステップＳ４）。理解度更新部１４による理解度の更新方法は任意であり、例えば、選択形式の質問において所定の選択肢が１又は複数回選択された場合に、理解度更新部１４は、医薬品についての医師の理解が深まったとしてフェーズを１段階上げる。また、選択肢毎に得点を付しておき、選択された選択肢の得点の合計が所定値に達した場合に、理解度更新部１４は、医薬品についての医師の理解が深まったとしてフェーズを１段階上げることとしてもよい。
【００６１】
続いて、寄与度算出部１５は、多数の医師の理解度の更新結果に基づいて、理解度の更新に対する医療情報の寄与度を算出し、出力制御部１６がこの寄与度を出力し（ステップＳ５）、処理を終了する。
【００６２】
［第１実施形態のＭＲ支援装置１における効果］
以上、本発明のＭＲ支援装置１の第１実施形態について説明した。続いて、ＭＲ支援装置１における効果について説明する。
【００６３】
ＭＲ支援装置１では、医薬品に対する理解度をフェーズとして設定しておき、医師の医薬品に対する理解度を管理する。また、ＭＲ支援装置１では、フェーズ毎に医師が理解すべき医薬品についての医療情報を記憶しておき、ＭＲが医師に対してディテール活動を行う際に、医師の理解度（フェーズ）に応じた医薬情報をＭＲに対して提供する。
これにより、ＭＲは、既に医薬品についての理解が深まっている医師に対しては詳細な医療情報を用いてディテール活動を行うことができ、同様に、未だ医薬品についての理解をしていない医師に対しては、ベーシックな医療情報を用いてディテール活動を行うことができる。その結果、ＭＲ支援装置１によれば、医薬品に対する医師の理解度にあった医療情報をＭＲに対して的確に提供することができる。
【００６４】
また、ＭＲ支援装置１では、理解度のフェーズ毎に医薬品についての質問を記憶しておき、この質問に対する医師の回答に基づいて医師の理解度を更新する。このように予め用意した質問を用いて理解度の更新を行うため、医師の理解度を、ＭＲの主観によらずに客観的に把握することができる。
【００６５】
また、ＭＲ支援装置１では、多数の医師の理解度の更新結果に基づいて医療情報の有効性（理解度更新に対する寄与度）を算出する。そして、この算出した医療情報の有効性を出力することで、ＭＲ支援装置１の管理者等は、各フェーズにおけるボトルネックを解消する可能性の高い医療情報を把握することができ、医師の理解度に適した医療情報をＭＲに対して提示できる。また、ＭＲに対して有効性の高い医療情報を優先的に提示することで、医療情報を用いてディテール活動を行った際に医師の理解度が深まる可能性が高まるため、ＭＲのディテール活動の成果を高めることができる。
【００６６】
なお、医療情報の有効性は、医師の属性に応じて算出しておくこととしてもよい。これにより、ＭＲがディテール活動を行う医師に適した医療情報を提供することができ、ＭＲのディテール活動の成果を高めることができる。
また、医療情報の有効性は、全ての医師の理解度の更新結果ではなく、一部の医師の理解度の更新結果に基づいて算出することとしてもよい。これにより、医療情報の有効性の算出を精度よく行うことができる。
【００６７】
＜第２実施形態＞
続いて、本発明のＭＲ支援装置１の第２実施形態について説明する。医療情報の中には、所定の順序で用いることで有効性が高まる、即ち、所定の順序で用いることで医師の理解度が深まりやすい関係性を有する医療情報が含まれる。第２実施形態のＭＲ支援装置１では、同一のフェーズに含まれる複数の医療情報をより有効な順序でＭＲ端末２に対して表示させる。
【００６８】
具体的には、第２実施形態のＭＲ支援装置１の寄与度算出部１５は、同一のフェーズに含まれる第１医療情報及び第２医療情報を、第１医療情報、第２医療情報の順にＭＲ端末２に表示させるための制御情報を配信することによる理解度の更新に対する組合せ寄与度を算出する。そして、配信部１２は、第１医療情報をＭＲ端末２に表示させた後に新たな医療情報をＭＲ端末２に表示させる場合、この組合せ寄与度の高い第２医療情報をＭＲ端末２に表示させるための制御情報をＭＲ端末２に対して配信する。
【００６９】
即ち、第２実施形態では、あるＭＲがある医師に対して第１医療情報を用いてディテール活動を行った後にこの医師の理解度のフェーズが更新されていない場合、次回このＭＲが同一の医師に対してディテール活動を行う際に第１医療情報に続いて用いることで医薬品についての理解が深まりやすい第２医療情報を、ＭＲ端末２に表示させる。
【００７０】
以下、図１２を参照して、第２実施形態のＭＲ支援装置１の動作の概要を説明する。なお、図１２において、医療情報Ａ乃至Ｄは、同一の医薬品についての同一のフェーズに含まれる医療情報である。
【００７１】
図１２に示すように、医療情報Ａから医療情報Ｂの順序で医療情報をＭＲ端末２に表示させた場合、組合せ寄与度が高く医師の理解度が更新されやすい。一方、医療情報Ａから医療情報Ｃの順序、又は、医療情報Ａから医療情報Ｄの順序で医療情報をＭＲ端末２に対して配信した場合、組合せ寄与度が低く医師の理解度が更新されにくい。
そこで、第２実施形態のＭＲ支援装置１では、医療情報Ａを用いたＭＲが、再度同一のフェーズに属する同一の医師にディテール活動を行う場合、医療情報Ａに続いて用いると有効な医療情報ＢをＭＲ端末２に表示させるための制御情報を、ＭＲ端末２に配信する。
【００７２】
なお、組合せ寄与度の算出方法は任意であり、一例として、寄与度算出部１５は、第２医療情報（医療情報Ｂ）を用いたことによる理解度の更新結果のうち、直前に医療情報Ａを用いた更新結果のみを抽出し、抽出した更新結果から組合せ寄与度を算出する（例えば、理解度が更新された数／抽出した更新結果の総数）。
また、図１２では、２つの医療情報の順序に基づいて組合せ寄与度を算出することとしているが、これに限られるものではなく、３つ以上の任意の数の医療情報の順序に基づいて組合せ寄与度を算出することとしてもよい。
【００７３】
［第２実施形態のＭＲ支援装置１における効果］
以上、本発明のＭＲ支援装置１の第２実施形態について説明した。第２実施形態のＭＲ支援装置１によれば、同一フェーズに含まれる複数の医療情報のうち、所定の順序で用いることで医師の理解度を更新しやすい医療情報が存在する場合に、この順序に応じた医療情報がＭＲに対して提供される。これにより、医師の理解度が深まる可能性を高めることができ、ＭＲのディテール活動の成果を高めることができる。
【００７４】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。
【００７５】
例えば、上記実施形態に一例として示す記憶部１７の医療情報ＤＢ（図６参照）では、理解度のフェーズ毎に複数の医療情報と、１つの共通した質問情報を記憶することとしているが、これに限られるものではない。即ち、フェーズ毎に記憶する質問情報は、１つに限らず複数記憶することとしてもよく、また、複数の質問情報を記憶する場合に、同フェーズ内に含まれる医療情報と対応付けて記憶することとしてもよい。
【００７６】
また、上記実施形態では、医薬品についての医師の状況を、医薬品についての理解度という観点から一次元的に管理することとしているが、これに限られるものではなく、医師の状況を多次元的に管理することとしてもよい。一例として、図１３に示すように、医薬品についての理解度に加えて、治療についての理解度を用いて、医薬品についての医師の状況を管理することとしてもよい。この場合において、ＭＲ支援装置は、多次元的に管理する医師の状況（フェーズ）毎に医療情報を記憶しておき、ディテール活動を行う医師の状況に応じた適切な医療情報をＭＲに対して提供する。
【符号の説明】
【００７７】
１・・・ＭＲ支援装置、１１・・・特定部、１２・・・配信部、１３・・・回答受付部、１４・・・理解度更新部、１５・・・寄与度算出部、１６・・・出力制御部、１７・・・記憶部、２・・・ＭＲ端末、３・・・製薬企業用端末、１００・・・ＭＲ支援システム
【図１】
2015138300.tif 000003
【図２】
2015138300.tif 000004
【図３】
2015138300.tif 000005
【図４】
2015138300.tif 000006
【図５】
2015138300.tif 000007
【図６】
2015138300.tif 000008
【図７】
2015138300.tif 000009
【図８Ａ】
2015138300.tif 000010
【図８Ｂ】
2015138300.tif 000011
【図８Ｃ】
2015138300.tif 000012
【図９】
2015138300.tif 000013
【図１０】
2015138300.tif 000014
【図１１】
2015138300.tif 000015
【図１２】
2015138300.tif 000016
【図１３】
2015138300.tif 000017